(57)【要約】【課題】式典が行われる会場、式典で用いられるアイテム及び式典で実施される各種イベントの様子を具体的にイメージしながら所望のアイテムやイベントを選択可能であるとともに、各イベントのスケジュールの調整及び式典全体のスケジュールの調整を可能とする。【解決手段】式典データベースを備える記憶部と、前記会場の画像、前記アイテムの画像、及び／またはこれらの画像の合成画像を含む画面を表示する表示部と、入力手段と、表示部の制御を行う表示制御手段と、を備える式典プランニング支援装置であって、前記式典データベースは、前記イベント毎の標準所要時間データを更に保存し、前記表示制御手段は、前記イベント毎の所要時間を一つの画面上に所定の順番で配置した態様で前記表示部に表示するとともに、一旦表示された前記所要時間を前記画面上で書き換え可能とする。【選択図】図２
2008226087.tif 000002
【特許請求の範囲】
【請求項１】
冠婚葬祭を含む式典が行われる会場の画像データと、前記式典で用いられるアイテムの画像データと、前記式典で実施されるイベントの画像データと、を含む式典データを保存する式典データベースと、
少なくとも、前記会場の画像、前記アイテムの画像、前記イベントの画像及び／またはこれらの画像の合成画像を含む画面を表示する表示部と、
前記画面を介して所定の命令を入力する入力手段と、
前記入力手段からの命令を受けて、前記会場、アイテム乃至イベントの選択を行うとともに、表示部の表示制御を行う表示制御手段と、を備える式典プランニング支援装置であって、
前記式典データベースは、前記イベント毎の所要時間データを前記式典データとして更に保存し、
前記表示制御手段は、
前記イベント毎の所要時間を一つの画面上に所定の順番で配置した態様で前記表示部に表示するとともに、一旦表示された前記所要時間を前記画面上で書き換え可能とすることを特徴とする式典プランニング支援装置。
【請求項２】
前記表示部に前記合成画像として一旦表示された前記各アイテムの画像を、前記表示されたアイテムとは別のアイテムの画像と入れ替え可能な画像入替手段を備えることを特徴とする請求項１記載の式典プランニング支援装置。
【請求項３】
前記式典データベースは、所定の楽曲データ及びその題名リストデータを前記式典データとして更に保存し、
前記表示部に前記イベントの画像及び前記題名リストを表示させるとともに前記楽曲データを再生可能とした楽曲データ再生手段、を備えることを特徴とする請求項１または２に記載の式典プランニング支援装置。
【請求項４】
前記選択した楽曲のうち任意の楽曲部分を抽出可能な楽曲部分抽出手段、を備えることを特徴とする請求項３記載の式典プランニング支援装置。
【請求項５】
電気通信網を介して所定の式典データを収集可能な外部データ収集手段、を備えることを特徴とする請求項１ないし４のいずれかに記載の式典プランニング支援装置。
【発明の詳細な説明】
【技術分野】
【０００１】
本発明は、冠婚葬祭等の式典をプランニングする際に、式典で用いられるアイテムや式典の様子を画像で表示しつつプランニングを支援する式典プランニング支援装置に関するものである。
【背景技術】
【０００２】
従来、例えば挙式予定者が挙式のプラン作りを進める場合、結婚式場やホテル等の担当者と事前打ち合わせを行いつつ進めることが多い。その際、担当者は、挙式予定者に、例えば当該結婚式場やホテルが提供する式場の写真、レセプション会場の写真、装花、ドレス、料理等のアイテムの写真或いはレセプションで行われるケーキカット等の各種イベントの写真等やこれらのアイテム等の価格情報を提示しつつ説明していた。そして、挙式予定者は、これらの提示されたアイテムやイベントの中から所望のアイテム及びイベント等の選択や、挙式にかかる費用見積り或いは挙式の所要時間の見積もり等の挙式プラン作りを進めていた。
【０００３】
しかし、現代人の嗜好の多様化等にともなって、これらのアイテムやイベントの種類が増大してこれらの写真の枚数も大幅に増加する、例えば担当者が説明の際に写真や価格情報を取り出すのに時間がかかる等で説明の時間が長くなる傾向が生じていた。したがって、多忙な現代人にとって、事前打ち合わせが煩雑になるおそれがあるという問題があった。また、前述した会場やアイテム等の写真を提示して説明するだけでは、例えばレセプション会場とドレスのカラーコーディネイトの状況は把握しづらいため、当初考えていたカラーコーディネイトと実際のカラーコーディネイトとの間にギャップが生じ、挙式予定者の満足度が低下するおそれがあるという問題があった。
【０００４】
そこで、表示画面を視認しつつアイテム等を選択可能な結婚式シミュレーションが提案されている（例えば特許文献１参照）。
【特許文献１】特開２００１−３５７１４８号公報
【発明の開示】
【発明が解決しようとする課題】
【０００５】
しかしながら、特許文献１によれば、担当者が挙式予定者に説明するイベントの所要時間についての情報は含まれておらず、ましてイベントの所要時間を表示する手段もない。したがって、実際の披露宴の運営に当たっては、例えば宴会場の担当者の経験等に基づいて料理を出すタイミングを決定し、また披露宴の開始から終了までの所要時間を見積もる必要がある。そのため、例えば料理を出す予定の時間になってもイベントが終了しておらず、料理を所定のタイミングで出せない等のおそれがあるという問題があった。また、披露宴の終了時間が延びて、次の披露宴の開始予定時間に食い込んでしまい、一日で複数組の挙式を行う結婚式場やホテル等にとってはスケジュール管理が困難になるおそれがあるという問題があった。
【０００６】
そこで、本発明は、上記従来の問題に鑑みてなされたものであり、その目的は、式典が行われる会場、式典で用いられるアイテム及び式典で実施される各種イベントの様子を具体的にイメージしながら所望のアイテムやイベントを選択可能であるとともに、各イベントのスケジュールの調整及び式典全体のスケジュールの調整を容易に行うことが可能な式典プランニング支援装置を提供することにある。
【課題を解決するための手段】
【０００７】
請求項１の発明では、冠婚葬祭を含む式典が行われる会場の画像データと、前記式典で用いられるアイテムの画像データと、前記式典で実施されるイベントの画像データと、を含む式典データを保存する式典データベースと、少なくとも、前記会場の画像、前記アイテムの画像、前記イベントの画像及び／またはこれらの画像の合成画像を含む画面を表示する表示部と、前記画面を介して所定の命令を入力する入力手段と、前記入力手段からの命令を受けて、前記会場、アイテム乃至イベントの選択を行うとともに、表示部の表示制御を行う表示制御手段と、を備える式典プランニング支援装置であって、前記式典データベースは、前記イベント毎の所要時間データを前記式典データとして更に保存し、前記表示制御手段は、前記イベント毎の所要時間を一つの画面上に所定の順番で配置した態様で前記表示部に表示するとともに、一旦表示された前記所要時間を前記画面上で書き換え可能とすることを特徴とする式典プランニング支援装置とした。
【０００８】
請求項２の発明では、請求項１記載の式典プランニング支援装置において、前記表示部に前記合成画像として一旦表示された前記各アイテムの画像を、前記表示されたアイテムとは別のアイテムの画像と入れ替え可能な画像入替手段を備えることを特徴とする。
【０００９】
請求項３の発明では、請求項１または２に記載の式典プランニング支援装置において、前記式典データベースは、所定の楽曲データ及びその題名リストデータを前記式典データとして更に保存し、前記表示部に前記イベントの画像及び前記題名リストを表示させるとともに、前記楽曲データを再生可能とした楽曲データ再生手段、を備えることを特徴とする。
【００１０】
請求項４の発明では、請求項３に記載の式典プランニング支援装置において、前記選択した楽曲のうち任意の楽曲部分を抽出可能な楽曲部分抽出手段、を備えることを特徴とする。
【００１１】
請求項５の発明では、請求項１ないし４のいずれかに記載の式典プランニング支援装置において、電気通信網を介して所定の式典データを収集可能な外部データ収集手段、を備えることを特徴とする。
【発明の効果】
【００１２】
請求項１の発明によれば、冠婚葬祭を含む式典が行われる会場の画像データと、前記式典で用いられるアイテムの画像データと、前記式典で実施されるイベントの画像データと、を含む式典データを保存する式典データベースと、少なくとも、前記会場の画像、前記アイテムの画像、前記イベントの画像及び／またはこれらの画像の合成画像を含む画面を表示する表示部と、前記画面を介して所定の命令を入力する入力手段と、前記入力手段からの命令を受けて、前記会場、アイテム乃至イベントの選択を行うとともに、表示部の表示制御を行う表示制御手段と、を備える式典プランニング支援装置であって、前記式典データベースは、前記イベント毎の所要時間データを前記式典データとして更に保存し、前記表示制御手段は、前記イベント毎の所要時間を一つの画面上に所定の順番で配置した態様で前記表示部に表示するとともに、一旦表示された前記所要時間を前記画面上で書き換え可能とする構成であるから、例えば挙式予定者は、表示部に表示された式典が行われる会場の画像、ドレス、装花、引き出物或いは料理等のアイテムの画像や、新郎新婦入場、ケーキ入刀あるいはキャンドルサービス等のイベントの画像またはこれらの合成画像を視認することで、これらの会場、アイテム及びイベントの様子を具体的にイメージしながら把握しつつ、入力手段及び表示制御手段を介して所望の会場、アイテム乃至イベントを選択可能となる。さらに、例えばイベント毎の所要時間をイベント名と共に披露宴の進行順に並べて配置した状態で表示すれば、ホテル等の運営側にとっては、挙式予定者と共に表示部に表示されたイベント毎の所要時間を視認しつつ、挙式予定者の要望に応じて所定のイベントの所要時間を書換えて、例えば式典全体の所要時間が所定の時間内に収まるか否かの確認を必要に応じて行うことが可能となり、各イベントのスケジュールのみならず式典全体のスケジュール調整を容易に行うことが可能な利便性が高い式典プランニング支援装置を提供できる。
【００１３】
請求項２の発明によれば、前記表示部に前記合成画像として一旦表示された前記各アイテムの画像を、前記表示されたアイテムとは別のアイテムの画像と入れ替え可能な画像入替手段を備える構成であるから、例えば挙式予定者はレセプション会場の画像とドレスの画像とを合成した合成画像上でドレスの画像を別のドレスの画像に入れ替えて、ドレスの映え具合の比較を迅速かつ容易に行うことができる等、アイテム選択やイベント選択の実用性が高まる。
【００１４】
請求項３の発明によれば、前記式典データベースは、所定の楽曲データ及びその題名リストデータを前記式典データとして更に保存し、前記表示部に前記イベントの画像及び前記題名リストを表示させるとともに、前記楽曲データを再生可能とした楽曲データ再生手段、を備える構成であるから、例えば挙式予定者は、イベントの画像を視認することでイベントの様子を具体的にイメージするとともに表示された題名リストのなかから楽曲を再生させて視聴しつつ、そのイベントに対応した所望の楽曲を容易に選択できる等、楽曲選択の利便性が高まる。
【００１５】
請求項４の発明によれば、前記選択した楽曲のうち任意の楽曲部分を抽出可能な楽曲部分抽出手段、を備える構成であるから、前記選択した楽曲のなかでも例えばさびの部分等の挙式予定者が所望する楽曲部分を抽出することが可能となり、ホテル側等にとっては挙式予定者の要求にきめ細かに対応可能であるとともに、挙式予定者にとっても満足感が高い式典をプランニング可能な式典プランニング支援装置を提供できる。
【００１６】
請求項５の発明によれば、電気通信網を介して所定の式典データを収集可能な外部データ収集手段、を備える構成であるから、例えばホテル側等の運営側と提携するドレス業者、装花業者、引き出物業者等のアイテム提供業者が管理するアイテム提供業者管理サーバに、あらかじめ所定の式典データを保存しておき、電気通信網及びデータ収集手段を介して、アイテム提供業者管理サーバにアクセスして所定の式典データを例えばダウンロードすることにより収集することができる。したがって、前記アイテム提供業者管理サーバの式典データを最新の式典データにアップデートしておけば、これらの最新の式典データを収集可能であるとともに、収集した最新の式典データに基づいて、式典データベースの式典データを常に最新のデータに更新可能な実用性の高い式典プランニング支援装置を提供できる。
【発明を実施するための最良の形態】
【００１７】
以下、本発明の実施形態について説明する。
本実施形態に係る式典プランニング支援装置は、式典が例えば結婚式場であれば、挙式予定者等の式典主催者が、表示部に表示されたアイテム画像やイベント画像等を視認しながら、入力手段及び表示制御手段を介して表示部の表示を切り換えつつ所望のアイテムやイベントを選択可能であるともに、ホテル側等の式典を運営する側の担当者は、イベントの所要時間を把握しながら式典挙行者と相談しつつイベントの時間調整、ひいては式典全体のスケジュール調整を容易に行うことが可能なものである。
【００１８】
この発明において、「冠婚葬祭を含む式典を運営する運営側」とは、結婚式を執り行う結婚式場又はホテル或いは葬儀を執り行う葬儀社等がこれに該当する。
【００１９】
「会場」とは、式典が行われる場所及び部屋を意味し、例えば挙式場、レセプション会場、葬儀場等がこれに該当する。
【００２０】
「アイテム」とは、式典で用いられるものを意味し、新郎新婦が着席するメインテーブルのテーブルクロス、装花、料理、ドレス、アクセサリ、キャンドル、ブーケ或いは祭壇等がこれに該当する。
【００２１】
「イベント」とは、式典でとり行われる行事及び行事の演出までも含む概念である。具体的には、送迎賓、新郎新婦入場、ウェディングケーキ入刀、キャンドルサービス、読経等が行事に該当する。そして、行事の手順及び式典の雰囲気を盛り上げる催し等が演出に該当する。
【００２２】
「画像」は、静止画像及び動画像を含む概念である。具体的には、例えば写真機で撮像された画像が静止画像に該当し、ビデオカメラでイベントの様子を撮像した画像が動画像に該当する。
【００２３】
以下、添付図面を用いて、本発明に係る最良の実施形態について具体的に説明する。説明の便宜のため、以下の説明では、式典は結婚式を前提とし、運営側はホテルを前提として説明する。図１は、本実施形態の式典プランニング支援装置１０のハードウェア構成を説明する概略ブロック図である。
【００２４】
図１に示すように、本実施形態の式典プランニング支援装置１０は、後述する式典データベース２１を格納するハードディスク２０と、表示部としてのディスプレイ装置２６と、入力手段としてのマウス３２及びキーボード３４と、後述する表示制御手段としてのＣＰＵ（中央演算処理装置）２８と、ハードディスク２０から読み出した画像データを格納する画像メモリ３０と、楽曲を再生するための再生部４４及びスピーカ３６と、ＣＰＵ２８が表示制御や演算を行うためのプログラムを格納するＲＯＭ３８と、ＣＰＵ２８の処理に必要なデータを一時的に格納するＲＡＭ４０と、電気通信網に接続するための通信部４２を含む構成となっている。そして、図示するように、これらのハードディスク２０、ディスプレイ装置２６、画像メモリ３０、マウス３２、キーボード３４、再生部４４、通信部４２、ＲＯＭ３８並びにＲＡＭ４０は、ＣＰＵ２８にそれぞれ接続される。
このように、本実施形態の式典プランニング支援装置１０は、例えばパーソナルコンピュータ等のコンピュータ装置で構成することができる。
【００２５】
前記式典データベース２１は、結婚式（式典）が行われる会場の画像データと、結婚式で用いられるアイテムの画像データと、結婚式で実施されるイベントの画像データと、前記イベント毎の所要時間データと、後述する披露宴進行表データと、所定の楽曲データ及びその題名リストデータと、前記会場の価格データ及び前記各アイテムの価格データ等を含む式典データを保存する。そして、図１に示すように、ハードディスク２０に格納される。
【００２６】
結婚式が行われる会場の画像データとしては、ホテルが提供する挙式場或いはレセプション会場を撮像した会場毎の画像データが含まれる。前記会場毎の画像データは、前記会場を複数の撮影箇所から撮像した画像、前記画像の拡大画像、前記会場の全体を見渡すことが可能な所謂パノラマ画像、前記会場を撮像した動画像であってもよい。
また、結婚式で用いられるアイテムの画像データとしては、例えば、装花、ドレス、引出物、料理の品等の各アイテムを撮像した各アイテムの画像データが含まれる。前記ドレスの画像には、一つのドレスを複数の角度から撮像した画像を含むことができる。
また、結婚式で実施されるイベントの画像データとしては、例えば、ケーキ入刀の様子を撮像した動画の画像データ等が含まれる。
【００２７】
また、前記イベント毎の所要時間としては、例えば、新郎新婦入場イベントに要する標準所要時間やケーキ入刀に要する標準所要時間等がある。
また、前記所定の楽曲としては、たとえば、新郎新婦の入場やケーキ入刀等のイベントの際に流すＢＧＭが該当する。
【００２８】
また、前記披露宴進行表は、例えば、披露宴において執り行われるイベント名に対応する文字を、披露宴において執り行われるイベントの順番に従って配置したものが該当する(図２参照)。
【００２９】
なお、前記式典データベース２１は、上述した式典データのみならず、前記会場名、前記アイテム名、前記イベント名或いは前記各画像の画像名等のテキストデータも式典データとして保存し、これらのデータが相互に連関された、所謂リレーショナルデータベースとして形成される。したがって、例えば所定のアイテムの画像を選択することで、その価格データも読み出すことができる。
また、本実施形態では、前記ハードディスク２０は、顧客データベース２２を格納している。顧客データベース２２は、例えば、挙式予定者の選択が確定した前記会場、前記アイテム、前記イベント或いは前記楽曲に関する画像データ、価格データ等のデータを、顧客データとして保存するためのものである。なお、顧客データは、所定の確定命令を受けて後述するＣＰＵ２８が顧客データベース２２に保存する。
【００３０】
さらに、式典データベース２１への保存は、例えばキーボード３４を介して入力した入力データを式典データベース２１に書き込んでもよい。また、楽曲データに関しては、公知のＣＤＲＯＭリーダ（図示せず）を設け、ＣＤＲＯＭから楽曲データを読み込んで、式典データベース２１に書き込んでもよい。さらに、後述する通信部４２を介して所定の楽曲データ及び所定の式典データをダウンロードし、式典データベース２１に保存する構成としてもよい。
【００３１】
ディスプレイ装置２６は、少なくとも、前記会場の画像、前記アイテムの画像、前記イベントの画像及び／またはこれらの画像の合成画像を含む画面を表示する表示部として機能する。すなわち、ディスプレイ装置２６は表示部として、後述するＣＰＵ２８の指示により、前記会場の画像、前記アイテムの画像、前記イベントの画像、これらの画像の合成画像を含む画面を表示部に表示する。前記画面に表示される画像は、前記会場の画像、前記アイテムの画像、前記イベントの画像または前記これらの画像の合成画像であってもよいし、前記会場の画像、前記アイテムの画像、前記イベントの画像及びこれらの画像の合成画像のうちから任意の画像を組み合わせて共に表示した画像であってもよい。
本実施形態において、前記ディスプレイ装置２６に表示される画面の詳細については、図面を用いて後述するが、例えば、初期選択画面、スケジュール調整画面（図２参照）、ドレスシミュレーション画面（図７参照）、装花シミュレーション画面（図８参照）、料理シミュレーション画面、楽曲選択画面（図９参照）等がある。また、これらの画面には、その画面上での所定の位置を示した目印となる例えばカーソル（図示せず）が表示され、前記マウス３２の操作によりその画面上の位置を移動可能に構成されている。前記ディスプレイ装置２６は、例えば公知の液晶表示装置やＣＲＴ等を用いることができる。
なお、表示部は、本実施形態のディスプレイ装置２６に限るものではなく、例えばタッチパネル等を用いることもできる。
【００３２】
マウス３２は、前記画面を介して所定の命令を入力する入力手段として機能するものである。そのため、本実施形態では、前記画面にボタン（図２、図７乃至図９参照）を表示する。
前記ボタンは、表示画面に表示された所定の領域で形成される。前記領域は、所定の数字や文字列が表示される領域であってもよいし、所定の画像が表示される領域を囲んだ閉鎖領域としてもよい。また、目的に応じて複数のボタンを表示させてもよい。そして、前記マウス３２を操作してカーソルを移動し、カーソルが前記ボタン上に位置させて、マウス３２をクリックする等の所定の操作を行うことで、各ボタンに対応した命令が、前記マウス３２から前記ＣＰＵ２８に入力される構成となっている。
前記各ボタンに対応した命令としては、例えば式典が行われる会場、ドレス、衣装、料理等のアイテム、前記式典で実施されるイベント或いは後述するイベント毎の所要時間に対応する数字を選択する選択命令や、前記複数の会場、アイテム乃至イベントの選択を確定した場合の確定命令、表示画面の表示を切換える切換え命令、或いは所定の処理の処理終了命令等がある。
【００３３】
画像メモリ３０は、ディスプレイ装置２６に表示される画像データを一時的に保存するためのメモリであり、ＲＡＭ等のメモリを用いることができる。例えば、挙式予定者が選択した会場の画像データ、アイテムの画像及び前記テキストデータを、後述するＣＰＵ２８の指示により画像メモリ３０に保存するのである。また、画像メモリ３０は、後述する画像入替手段としても機能する。
【００３４】
次に、ＣＰＵ２８は、前記入力手段からの命令を受けて、前記会場、アイテム乃至イベントの選択を行うとともに、ディスプレイ装置２６の表示制御を行う表示制御手段としての機能を有する。すなわち、ＣＰＵ２８は、上述した各種画像データに基づいて、例えばレセプション会場の画像やイベントの画像等をディスプレイ装置２６に表示する。また、ＣＰＵ２８は、前記マウス３２からの所定の選択命令を受けて、例えば選択された会場の画像データ、アイテムの画像データ或いはイベントの画像データを、前記画像メモリの所定の領域に格納する。また、ＣＰＵ２８は、前記表示制御手段として、前記マウス３２から所定の命令を受けて、例えばディスプレイ装置２６に表示される画面の切換えを実行する等ディスプレイ装置２６の表示制御を行う。
【００３５】
また、ＣＰＵ２８は、表示制御手段として機能し、前記イベント毎の所要時間を一つの画面上に所定の順番で配置した態様でディスプレイ装置２６に表示する。
すなわち、ＣＰＵ２８は、上述した披露宴進行表データ及び当該披露宴進行表に含まれるイベント毎の標準所要時間データを式典データベース２１から読出し、前記ＲＡＭ４０の所定の領域に保存するとともに、披露宴進行表及び当該披露宴進行表に含まれるイベント毎の標準所要時間を含むスケジュール調整画面をディスプレイ装置２６に表示する。
ここで、図２を用いて前記スケジュール調整画面について説明する。図２は、前記スケジュール調整画面の例の説明図である。
【００３６】
図２の例では、３２個の短冊状領域７０が、イベント名を表示する表示領域として設けられ、前記短冊状領域７０の中に、披露宴の進行順番に従って、「迎賓」、「人前式  入場（新郎）」、・・・、「送賓」のイベント名が表示される。そして、前記短冊状領域７０の右横隣接位置に、略正四角形の領域からなる所要時間表示領域７１を設け、前記所要時間表示領域７１の中に、それぞれのイベント名に対応した前記標準所要時間が表示されている。図２の例では、イベント名「迎賓」の標準所要時間として「８」が表示されており、イベント名「迎賓」の標準所要時間が８分であることを示している。
このように、ＣＰＵ２８は、一つの前記スケジュール調整画面上に、イベント毎の所要時間を、披露宴の進行順番に従って配置した態様でディスプレイ装置２６に表示しているのである。
【００３７】
また、前記スケジュール調整画面上では、前記所要時間表示領域７１は上述したボタンとして機能する。具体的には、マウス３２の操作を介してカーソルを移動させて所定のイベント名に対応した所要時間表示領域７１にカーソルを位置させ、その位置でマウス３２をクリックすることで、前記所定のイベント名に対応した所要時間表示領域７１の選択命令がＣＰＵ２８に供給される。そして、前記キーボード３４から新たな所要時間データが入力されると、前記選択命令と前記入力された所要時間データを受けたＣＰＵ２８は、前記ＲＡＭ４０に保存した標準所要時間データであって、前記選択命令に対応する標準所要時間データを、当該入力された所要時間データに更新する。そして、ＣＰＵ２８は、更新後の所要時間データをＲＡＭ４０から読み出し、スケジュール調整画面上で、前記所要時間表示領域７１に表示された標準所要時間を、入力された所要時間に書き換える。
図２の例では、イベント名「余興」の標準時間表示領域８２にカーソルが位置しており、当該所要時間表示領域８２に表示された所要時間「５」を書き換え可能な状態にあることを示している。
このように、ＣＰＵ２８は、表示制御手段として機能し、一旦表示された所要時間をスケジュール調整画面上で書き換え可能とする構成となっている。
【００３８】
また、本実施形態では、ＣＰＵ２８は、前記披露宴進行表に含まれるイベント毎の所要時間を合計した所要時間合計値を算出し、その算出した所要時間合計値を所要時間合計データとして前記ＲＡＭ４０の所定の領域に保存するとともに、スケジュール調整画面の所要時間合計表示領域７３に表示する。図２の例では、所要時間合計表示領域７３に所要時間合計値としての「２：２３」の文字列が表示されている。
そして、ＣＰＵ２８は、上述した所要時間データの入力があった場合は、その入力された所要時間データに基づいて新たな所要時間合計値を算出し、前記新たな所要時間合計データに基づいて、前記ＲＡＭ４０に保存した所要時間合計データを更新する。そして、ＣＰＵ２８は、更新後の所要時間合計データをＲＡＭ４０から読み出し、スケジュール調整画面上で、前記所要時間合計表示領域７３に表示された所要時間合計を、前記新たな所要時間合計に書き換える。
したがって、ホテル等の担当者は、挙式予定者と共に前記スケジュール調整画面でイベントの所要時間を把握しつつ、挙式予定者の要望等の必要に応じて各イベントの所要時間を書き換えて、所要時間合計が所定の時間に収まっているか否か等を判断が可能となり、イベント毎のスケジュール調整のみならず式典全体のスケジュール調整を行うことができる。
なお、図２に示すように、前記スケジュール調整画面上には、終了ボタン７５及び確定ボタン７４が表示されている。この終了ボタン７５をマウス３２でクリック（以下、マウス３２を省略し「クリック」という。）することで、後述する所要時間書き換え処理（図６参照）の終了命令がＣＰＵ２８に入力される。また、前記確定ボタン７４をクリックすることで、確定命令がＣＰＵ２８に入力され、その確定命令を受けたＣＰＵ２８は、ＲＡＭ４０の所定の領域に保存した披露宴進行表データ及び当該披露宴進行表に含まれるイベント毎の所要時間データを、顧客データベース２２に保存する。
さらに加えて、前記イベント名表示領域７０をクリックすることで、当該クリックしたイベントの画像がディスプレイ装置２６に表示される構成であってもよい。
【００３９】
また、ＣＰＵ２８及び前記画像メモリは、前記ディスプレイ装置２６に前記合成画像として一旦表示された前記各アイテムの画像を、前記表示されたアイテムとは別のアイテムの画像と入れ替え可能な画像入替手段としての機能を有する。
ここで、前記合成画像は、公知のマルチレイヤ画像合成技術を用いて表示される。前記マルチレイヤ画像合成技術は、複数の画像データを一つのグループデータとして保存し、そのグループデータとして保存した画像データのうち選択された画像データどうしを合成した画像表示を可能とする技術である。
例えば、一つの会場の画像データ、第１のドレスの画像及び第２のドレスの画像を一つのグループデータとして前記画像メモリ３０に保存する。そして、前記入力手段としてのマウス３２を介して、第１のドレスの画像を選択する命令をＣＰＵ２８に入力すると、前記命令を受けたＣＰＵ２８は、前記会場の画像と前記第１のドレスの画像との合成画像をできディスプレイ装置２６に表示する。また、前記マウス３２を介して前記第２のドレスの画像を選択すれば、ＣＰＵ２８は、前記会場の画像と前記第２のドレスの画像との合成画像をディスプレイ装置２６に表示する。
以上のように、本実施形態では、マウス３２を介して、前記ディスプレイ装置２６に合成画像として一旦表示された各アイテムの画像を、前記表示されたアイテムとは別のアイテムの画像と入れ替え可能な構成となっているのである。
【００４０】
このように、挙式予定者は、表示画面に表示された式典が行われる会場の画像、ドレス、装花或いは料理等のアイテムの画像や、新郎新婦入場、ケーキ入刀あるいはキャンドルサービス等のイベントの画像またはこれらの合成画像を視認し、また前記画像入替手段を介して、合成画像上でアイテムの入れ替えを行いながら、これらの会場、アイテム及びイベントの様子を具体的にイメージしつつ、入力手段及び表示制御手段を介して所望の会場、アイテム乃至イベントを選択できる。
【００４１】
また、ＣＰＵ２８は、詳しくは後述するが、ディスプレイ装置２６に前記イベントの画像及び前記題名リストを表示させるとともに、前記楽曲データを再生可能とした楽曲データ再生手段として機能する。
また、ＣＰＵ２８は、詳しくは後述するが、前記選択した楽曲のうち任意の楽曲部分が抽出可能な楽曲部分抽出手段として機能する。
【００４２】
また、上述した再生部４４は、楽曲データを再生してスピーカ３６から出力するためのものであり、ＤＡ変換回路、増幅回路等を備える。
【００４３】
さらに、ＣＰＵ２８及び通信部４２は、電気通信網を介して所定の式典データを収集可能な外部データ収集手段として機能する。
ここで、通信部４２は、図１に示すように、電気通信網としての例えばインターネットに接続され、ＣＰＵ２８の指示により、本実施形態の式典プランニング支援装置１０とインターネットとの間の各種データの送受信を行う。そのため、通信部４２は、データを送受信するための送受信回路（図示せず）を備える。
また、ＣＰＵ２８は外部データ収集手段として機能し、ホテル側と提携するドレス業者、装花業者、引き出物業者等のアイテム提供業者が管理する、例えばアイテム提供業者管理サーバ（図示せず）に、通信部４２及びインターネットを介してアクセスし、所定の式典データを収集する。より詳しくは、前記アイテム提供業者管理サーバに、あらかじめアイテム名データ、アイテムの画像データや価格データ等の式典データを格納しておく。そして、ＣＰＵ２８は、通信部４２及びインターネットを介して、これらの式典データをダウンロードし、ダウンロードした式典データを、前記式典データベース２１に保存する、すなわち収集する。さらに、ＣＰＵ２８は、前記収集した式典データに基づいて、式典データベース２１の式典データを更新するのである。
このような構成とすることで、例えばアイテム提供業者管理サーバに保存した式典データを最新のデータにアップデートしておくことで、最新の式典データを収集可能であるとともに、収集した最新の式典データに基づいて、式典データベースの式典データを常に最新のデータに更新可能とすることができる。
【００４４】
以下に、本実施形態の式典プランニング支援装置１０の動作について、必要に応じて図７乃至図９を引用しつつ、図３乃至図６に基づいて説明する。図３乃至図６は、本実施形態の式典プランニング支援装置１０において実行される処理例を説明するフローチャートである。図７ないし図９は、前記実行される処理においてディスプレイ装置２６に表示される画面の例の説明図である。
【００４５】
図３は、本実施形態の式典プランニング支援装置１０において実行される式典プランニング支援処理の例を説明するフローチャートである。
図３に示すように、最初に、ＣＰＵ２８は、ステップＳ１０において、初期設定を行う。すなわち、ＣＰＵ２８は、インターネット及び通信部４２を介して、例えばアイテム提供業者管理サーバから所定の式典データをダウンロードし、式典データベース２１の式典データを更新する。そして、処理をステップＳ１１に進める。
【００４６】
次に、ステップＳ１１において、ＣＰＵ２８は、初期選択画面（図示せず）を表示し処理をステップ１２に進める。本実施形態の前記初期選択画面には、挙式スタイルを選択するための挙式スタイル選択ボタン、レセプション会場を選択するためのレセプション会場選択ボタン、装花を選択するための装花選択ボタン、ドレスを選択するためのドレス選択ボタン、料理を選択するための料理選択ボタン、イベントを選択するためのイベント選択ボタン、楽曲を選択するための楽曲選択ボタン、イベントの所要時間を表示するためのスケジュール調整ボタン及び式典の価格見積を行うための価格見積ボタンが表示されており、マウス３２で前記各選択用ボタンをクリックして選択する操作で、前記各ボタンに対応した命令がＣＰＵ２８に入力される。
【００４７】
次に、ステップＳ１２において、ＣＰＵ２８は、前記挙式スタイル選択ボタンが選択されたか否かを判断し、選択された場合は、処理をステップＳ２８に移し、選択されなかった場合は、処理をステップＳ１４に移す。
【００４８】
次に、ステップＳ２８において、ＣＰＵ２８は、挙式スタイル選択処理を実行する。前記挙式スタイル選択処理は、例えばキリスト教式挙式スタイル或いは神前式挙式スタイル等の挙式スタイルの中から、所望の挙式スタイルを選択するためのものである。
すなわち、ステップＳ２８において、ＣＰＵ２８は、挙式場スタイル選択用の画面（図示せず）を表示する。前記挙式スタイル選択用の画面には、例えば挙式スタイルの文字列からなる挙式スタイル選択用ボタンや及び挙式スタイルの確定用のボタン等の所定のボタンを表示する。
そして、マウス３２からの選択命令を受けて、ＣＰＵ２８は、所定の挙式スタイルの画像をディスプレイ装置２６に表示する。例えば、前記マウス３２で、キリスト教式挙式スタイルの選択用ボタンをクリックすると、ＣＰＵ２８は、例えばキリスト教式の挙式場の画像データを式典データベース２１から読出し、前記画像をディスプレイ装置２６に表示する。その際、前記表示に、詳細表示用、パノラマ表示用或いは動画像表示用の各ボタンを設け、それぞれのボタンをクリックすることにより、詳細表示用画像としての拡大画像、パノラマ画像、挙式の様子を撮像した動画像等の画像をそれぞれ表示させる構成であってもよい。
次に、ＣＰＵ２８は、マウス３２からの確定命令を受けて、確定した挙式スタイル及び挙式場の画像データを上述した顧客データベース２２に保存し、処理をステップＳ３０に移す。
【００４９】
次に、ステップＳ３０において、前記挙式スタイル選択処理の終了命令の有無を判断し、前記挙式スタイル選択処理の終了命令があった場合は、処理をステップＳ１１に移し、前記挙式スタイル選択処理の終了命令がなかった場合は、処理をステップＳ２８に移す。
【００５０】
次に、ステップＳ１４において、前述したレセプション会場選択ボタンが選択されたか否かを判断し、選択された場合は、処理をステップＳ３２に移し、選択されなかった場合は、処理をステップＳ１６に移す。
【００５１】
次に、ステップＳ３２において、ＣＰＵ２８は、レセプション会場選択処理を実行する。前記レセプション会場選択処理は、挙式予定者が複数のレセプション会場の中から所望のレセプション会場を選択するためのものである。
すなわち、ステップＳ３２において、ＣＰＵ２８は、レセプション会場選択用の画面（図示せず）を表示する。前記レセプション会場選択用の画面には、例えばホテル側等が提供する複数のレセプション会場の部屋名の文字列からなる複数の会場選択用ボタンや、選択した会場を確定するための確定用ボタン等が表示される。
次に、マウス３２からの選択命令を受けて、ＣＰＵ２８は、所定のレセプション会場の画像をディスプレイ装置２６に表示する。例えば、前記マウス３２で、所定の会場選択用ボタンをクリックすると、ＣＰＵ２８は、選択されたレセプション会場の画像データを式典データベース２１から読出し、前記レセプション会場選択用の画面に替えて、前記画像をディスプレイ装置２６に表示する。その際、前記表示に、詳細表示用、パノラマ表示用或いは動画像表用の各ボタンを設け、それぞれのボタンをクリックすることにより、詳細表示用画像としての拡大画像、パノラマ画像、挙式の様子を撮像した動画像等の画像を表示させる構成であってもよい。
次に、ＣＰＵ２８は、マウス３２からの確定命令を受けて、確定したレセプション会場名及び当該レセプション会場の画像データを前記顧客データベース２２に保存するとともに、前記確定したレセプション会場の所定の画像（図７及び図８参照）を前記画像メモリ３０の所定の領域に保存し、処理をステップＳ３４に移す。
【００５２】
次に、ステップＳ３４において、前記レセプション会場選択処理の終了命令の有無を判断し、前記レセプション会場選択処理の終了命令があった場合は、処理をステップＳ１１に移し、前記レセプション会場選択処理の終了命令がなかった場合は、処理をステップＳ３２に移す。
【００５３】
次に、ステップＳ１６において、前述した装花選択ボタンが選択されたか否かを判断し、選択された場合は、処理をステップＳ３６に移し、選択されなかった場合は、処理をステップＳ１８に移す。
【００５４】
次に、ステップＳ３６において、ＣＰＵ２８は、装花選択処理を実行する。前記装花選択処理は、挙式予定者が複数の装花の中から所望の装花を選択するためのものである。
すなわち、ステップＳ３６において、ＣＰＵ２８は、装花選択用の画面（図示せず）を表示する。前記装花選択用の画面には、例えばメインテーブルや列席者テーブル等の装花設置場所を選択するための選択用ボタン等が表示される。
次に、マウス３２からの選択命令を受けて、ＣＰＵ２８は、所定の装花設置用の場所をディスプレイ装置２６に表示する。例えば、前記マウス３２で、メインテーブル選択用ボタンをクリックすると、マウス３２からの選択命令を受けて、ＣＰＵ２８は、当該メインテーブルに設置される装花の画像データを式典データベース２１から読出し、前記画像をディスプレイ装置２６に表示する。その際、詳細表示用ボタンを設け、当該ボタンをクリックすることにより、詳細表示用画像としての拡大画像や表示させる構成としてもよい。また、式典データベース２１から装花の価格データを読み出し、前記装花の価格を前記画像と共に表示させてもよい。
次に、ＣＰＵ２８は、マウス３２からの選択命令を受けて、選択した装花の画像データと、前記レセプション会場選択処理（ステップＳ３２）で確定したレセプション会場の画像のうちの所定の画像データ（図７及び図８参照）とを一つのグループデータ、例えば装花グループデータとして前記画像メモリ３０の所定の領域に格納し、処理をステップＳ３８に移す。
【００５５】
次に、ステップＳ３８において、前記装花選択処理の終了命令の有無を判断し、前記装花選択処理の終了命令があった場合は、処理をステップＳ１１に移し、前記装花選択処理の終了命令がなかった場合は、処理をステップＳ３６に移す。
【００５６】
次に、ステップＳ１８において、前述したドレス選択ボタンが選択されたか否かを判断し、選択された場合は、処理をステップＳ４０に移し、選択されなかった場合は、処理をステップＳ２０に移す。
【００５７】
次に、ステップＳ４０において、ＣＰＵ２８は、ドレス選択処理を実行する。前記ドレス選択処理は、挙式予定者が複数のドレスの中から所望のドレスを選択するためのものである。
すなわち、ステップＳ４０において、ＣＰＵ２８は、ドレス選択用の画面（図示せず）を表示する。前記ドレス選択用の画面には、例えばドレスの正面撮像画像からなるドレス選択用ボタンが複数表示される。
次に、マウス３２からの選択命令を受けて、ＣＰＵ２８は、所定のドレスの画像データ及び価格データを読出してこれらをディスプレイ装置２６に表示する。その際、前記表示に、詳細表示用ボタンを設け、当該ボタンをクリックすることにより、ドレスを複数の角度から撮像した画像を表示させる構成であってもよい。
次に、ＣＰＵ２８は、マウス３２からの選択命令を受けて、選択したドレスの画像データと、前記レセプション会場選択処理（ステップＳ３２）で確定したレセプション会場の画像のうちの所定の画像（図７及び図８）とを一つのグループデータ、例えばドレスグループデータとして前記画像メモリ３０の所定の領域に格納し、処理をステップＳ４２に移す。
【００５８】
次に、ステップＳ４２において、ＣＰＵ２８は、前記ドレス選択処理の終了命令の有無を判断し、前記ドレス選択処理の終了命令があった場合は、処理をステップＳ４４に移し、前記ドレス選択処理の終了命令がなかった場合は、処理をステップＳ４０に移す。
【００５９】
次に、ステップＳ４４において、ＣＰＵ２８は、詳細は図４を用いて説明するがカラーシミュレーション処理を行い、ステップＳ４６に処理を移す。前記カラーシミュレーション処理は、挙式予定者が、上述のようにして選択した装花やドレスのレセプション会場での映え具合をチェックするためのものである。
【００６０】
次に、ステップＳ４６において、ＣＰＵ２８は、前記カラーシミュレーション処理の終了命令の有無を判断し、前記カラーシミュレーション処理の終了命令があった場合は、処理をステップＳ１１に移し、前記カラーシミュレーション処理の終了命令がなかった場合は、処理をステップＳ４４に移す。ここで、前記カラーシミュレーション処理の終了命令は、後述するドレスシミュレーション画面或いは装花シミュレーション画面に表示された「Ｔｏｐ」の文字列を含むボタン８０（図７及び図８参照）をクリックすることで、ＣＰＵ２８に入力されるものとする。
【００６１】
次に、ステップＳ２０において、ＣＰＵ２８は、前述した料理選択ボタンが選択されたか否かを判断し、選択された場合は、処理をステップＳ４８に移し、選択されなかった場合は、処理をステップＳ２２に移す。
【００６２】
次に、ステップＳ４８において、ＣＰＵ２８は、料理選択処理を行い、ステップＳ５０に処理を進める。前記料理選択処理は、挙式予定者が、複数のメニューの中から所望の料理を選択するためのものである。
前記料理選択処理を簡単に説明すると、例えば、先ずフランス料理コース、和風料理コース等の料理コース選択画面（図示せず）を表示する。前記料理コース選択画面には、例えば所定の料理コース名を表示させて形成される料理コース選択用ボタン等が表示される。
次に、前記料理コース選択用ボタンを介して所定の料理コースが選択されると、そのコースの中の例えば、御造り、お吸い物、お肉料理の様なそれぞれの料理に対応して、複数の個別メニューの画像を表示したメニュー選択画面（図示せず）が表示される。前記メニュー選択画面には、例えば所定の個別メニューの画像からなる個別メニュー選択用ボタン等が表示される。そして、前記個別メニュー選択用ボタンを介して、料理毎に所望の個別メニューを選択するのである。その際、選択した個別メニューの画像を合成したコース料理画像として表示し、前記画像入替手段を介して前記個別メニューの画像を別の個別メニューの画像と入れ替える構成であってもよい。
【００６３】
次に、ステップＳ５０において、ＣＰＵ２８は、前記料理選択処理の終了命令の有無を判断し、前記料理選択処理の終了命令があった場合は、処理をステップＳ１０に移し、前記料理選択処理の終了命令がなかった場合は、処理をステップＳ４８に移す。
【００６４】
次に、ステップＳ２２において、ＣＰＵ２８は、前述したイベント選択ボタンが選択された否かを判断し、選択された場合は、処理をステップＳ５２に移し、選択されなかった場合は、処理をステップＳ２３に移す。
【００６５】
次に、ステップＳ５２において、ＣＰＵ２８は、イベント選択処理を実行する。前記イベント選択処理は、挙式予定者が複数のイベントの中から所望のイベントやイベントの演出を選択するためのものである。
すなわち、ステップＳ５２において、ＣＰＵ２８は、イベント選択用の画面（図示せず）を表示する。前記イベント選択用の画面には、例えば複数のイベントの動画像がイベント選択用ボタン及びイベント確定用ボタン等と共に表示される。
次に、前記イベント選択用ボタンを介して所定のイベントを選択する選択命令が入力されると、前記選択命令を受けたＣＰＵ２８は、選択されたイベントの動画像を拡大してディスプレイ装置２６に表示する。その際、式典データベース２１から選択されたイベントの標準所要時間を読み出して動画像と共に表示してもよい。
次に、イベント確定用ボタンを介して所定のイベントを確定する確定命令が入力されると、当該確定命令を受けたＣＰＵ２８は、確定されたイベントの動画の画像データを前記画像メモリ３０の所定の領域に格納するとともに、前記確定されたイベントの標準所要時間データを顧客データベース２２の所定の領域に保存し、処理をステップＳ５４に移す。
【００６６】
次に、ステップＳ５４において、ＣＰＵ２８は、前記イベント選択処理の終了命令の有無を判断し、前記イベント選択処理の終了命令があった場合は、処理をステップＳ１１に移し、前記イベント選択処理の終了命令がなかった場合は、処理をステップＳ５２に移す。
【００６７】
次に、ステップＳ２３において、ＣＰＵ２８は、前述した楽曲選択ボタンが選択されたか否かを判断し、選択された場合は、処理をステップＳ５６に移し、選択されなかった場合は、処理をステップＳ２４に移す。
【００６８】
次に、ステップＳ５６において、詳細は図５を用いて説明するが楽曲選択処理を行い、ステップＳ５８に処理を進める。前記楽曲選択処理は、挙式予定者が、複数の楽曲の中から所望の楽曲を選択するためのものである。
【００６９】
次に、ステップＳ５８において、前記楽曲選択処理の終了命令の有無を判断し、前記楽曲選択処理の終了命令があった場合は、処理をステップＳ１０に移し、前記楽曲選択処理の終了命令がなかった場合は、処理をステップＳ５６に移す。ここでは、前記楽曲選択処理の終了命令は、後述する題名選択画面（図９参照）に表示される「Ｔｏｐ」の文字列を含むボタン８０（図９参照）をクリックすることで、ＣＰＵ２８に入力されるものとする。
【００７０】
次に、ステップＳ２４において、前述したスケジュール調整用ボタンが選択されたか否かを判断し、選択された場合は、処理をステップＳ６０に進め、選択されなかった場合は、処理をステップＳ２６に進める。
【００７１】
次に、ステップＳ６０において、ＣＰＵ２８は、詳細は図６を用いて後述するが所要時間表示制御処理を行い、ステップＳ６２に処理を進める。
【００７２】
次に、ステップＳ６２において、ＣＰＵ２８は、前記所要時間表示制御処理の終了命令の有無を判断し、前記所要時間表示制御処理の終了命令があった場合は、処理をステップＳ１１に移し、前記所要時間表示制御処理の終了命令がなかった場合は、処理を終了する。ここでは、前記所要時間表示制御処理の終了命令は、前述したスケジュール調整画面に表示される「Ｔｏｐ」の文字列を含むボタン８０（図２参照）をクリックすることで、ＣＰＵ２８に入力されるものとする。
【００７３】
次に、ステップＳ２６において、ＣＰＵ２８は、前述した価格見積処理用ボタンが選択されたか否かを判断し、選択された場合は、処理をステップＳ６４に進め、選択されなかった場合は、処理をステップＳ２８に進める。
【００７４】
次に、ステップＳ６４において、ＣＰＵ２８は、価格見積処理を実行する。前記価格見積処理は、上述のようにして確定させた会場、アイテム等の価格に基づいて式典に掛かる費用を算出するためのものである。
すなわち、ステップＳ６４において、ＣＰＵ２８は、前記ハードディスク２０の顧客データベース２２に保存された、会場やアイテムの価格データを読み出すとともに、これらの全部或いは一部の加算値をディスプレイ装置２６に表示する。そして処理をステップＳ６６に進める。
【００７５】
次に、ステップＳ６６において、ＣＰＵ２８は、前記価格見積処理の終了命令の有無を判断し、前記価格見積処理の終了命令がなかった場合は、処理をステップＳ１１に移し、前記価格見積処理の終了命令があった場合は、処理を終了する。
【００７６】
次に、ステップＳ２８において、前記式典プランニング支援処理の終了命令がなかった場合は、処理をステップＳ１１に移し、前記式典プランニング支援処理の終了命令があった場合は、処理を終了する。
【００７７】
〔カラーシミュレーション処理〕
図４、図７及び図８を用いて、カラーシミュレーション処理について説明する。
図４は、カラーシミュレーション処理の例を説明するフローチャートである。図７及び図８は、カラーシミュレーション処理においてディスプレイ装置２６に表示される画面の例の説明図である。
【００７８】
図４に示すように、先ず、ＣＰＵ２８は、ステップＳ７０において、後述するドレスシミュレーション画面を表示し、処理をステップＳ７２に移す。
【００７９】
図７（ａ）は、前記ドレスシミュレーション画面の一例の説明図である。
図７（ａ）に示すように、前記ドレスシミュレーション画面には、ドレス選択用ボタン５６ａ，５６ｂ，５６ｃ，５６ｄ，５６ｅ，５６ｆと、レセプション会場の画像と装花の画像との合成画像を表示するドレス合成画像表示エリア５０と、装花シミュレーション選択用ボタン５３ａと、ドレスシミュレーション選択用ボタン５３ｂと、確定ボタン５４ａと、終了ボタン５５ａ等を表示する。
前記ドレス選択用ボタン５６ａ，５６ｂ，５６ｃ，５６ｄ，５６ｅ，５６ｆは、前記ドレスグループデータとして画像メモリ３０に格納された複数のドレスの画像データに基づいて表示された６個のドレス画像で形成される。前記終了ボタン５５ａは、後述するドレス画像入替処理の終了命令をＣＰＵ２８に入力するためのものであり、前記終了ボタン５５ａをクリックすることで前記ドレス画像入替処理の終了命令がＣＰＵ２８に入力される。また、確定ボタン５４ａをクリックすることでドレスの確定命令がＣＰＵ２８に入力され、前記確定命令を受けたＣＰＵ２８は、当該確定したドレスの画像を含む式典データを顧客データベース２２に保存する。
【００８０】
また、図７（ａ）に示すように、前記合成画像表示エリア５０には、前記ドレス選択用ボタン５６ａ，５６ｂ，５６ｃ，５６ｄ，５６ｅ，５６ｆのうち、ドレス選択用ボタン５６ａで選択したドレスの画像６０ａと、前記ドレスグループデータとして画像メモリ３０に格納された所定のレセプション会場の画像データに基づいて形成されるレセプション会場の画像７２との合成画像が表示される。
【００８１】
次に、ＣＰＵ２８は、ステップＳ７２において、ドレス画像入替処理を行い、処理をステップＳ７４に進める。
【００８２】
ここで、ドレス画像入替処理について図７を用いて説明する。
すなわち、マウス３２で、ドレス選択用ボタン５６ｆをクリックすると、マウスからドレス画像入替命令がＣＰＵ２８に入力される。そして、当該ドレス画像入替命令を受けたＣＰＵ２８は、前記ドレス合成画像表示エリア５０に表示されるドレス画像６０ａを、前記ドレス選択用ボタン５６ｆに対応するドレス画像に入れ替えて表示する。
図７（ｂ）は、前記ドレス画像入替処理によって、前記ドレス合成画像表示エリア５０に、ドレス選択用ボタン５６ｆで選択されたドレスの画像６０ｂが表示されている様子を示している。
【００８３】
次に、ＣＰＵ２８は、ステップＳ７４において、装花シミュレーション選択用ボタン５３ａの選択の有無を判断し、選択があった場合は、ステップＳ７８に処理を進め、選択がなかった場合は、処理をステップＳ７６に移す。
【００８４】
次に、ステップＳ７８において、ＣＰＵ２８は、後述する装花シミュレーション画面を表示し、ステップＳ８０に処理を移す。
【００８５】
図８（ａ）は、前記装花シミュレーション画面の例の説明図である。
図８（ａ）に示すように、前記装花シミュレーション画面には、装花選択用ボタン５１ａ，５１ｂ，５１ｃと、レセプション会場の画像と装花の画像との装花合成画像表示エリア６１と、装花シミュレーション選択用ボタン５３ａと、ドレスシミュレーション選択用ボタン５３ｂと、確定ボタン５４ｂと、終了ボタン５５ｂ等を表示する。
前記装花選択用ボタン５１ａ，５１ｂ，５１ｃは、前記装花グループデータとして画像メモリ３０に格納された複数の装花の画像データに基づいて表示される３個の装花画像で形成される。前記終了ボタン５５ｂは、後述する装花画像入替処理の終了命令をＣＰＵ２８に入力するためのものであり、マウス３２で前記終了ボタン５５ｂをクリックすることで前記装花画像入替処理の終了命令がＣＰＵ２８に入力される。また、確定ボタン５４ｂをクリックすることで装花の確定命令がＣＰＵ２８に入力され、前記確定命令を受けたＣＰＵ２８は、当該確定した装花の画像を含む式典データを顧客データベース２２に保存する。
【００８６】
図８（ａ）に示すように、前記装花合成画像表示エリア６１には、前記装花選択用ボタン５１ａで選択した装花の画像５８ａと、装花グループデータとして前記画像メモリ３０の所定の領域に格納された所定のレセプション会場の画像データに基づいて形成されるレセプション会場の画像７２との合成画像が表示される。
【００８７】
そして、ＣＰＵ２８は、ステップＳ８０において、装花画像入替処理を行い、処理をステップＳ８２に移す。
【００８８】
ここで、装花画像入替処理について、図８を用いて説明する。
すなわち、マウス３２で、装花選択用ボタン５１ｃをクリックすると、マウスから装花画像入替命令がＣＰＵ２８に入力される。当該装花画像入替命令を受けたＣＰＵ２８は、前記装花合成画像表示エリア６１に表示される装花画像５８ａを、前記装花選択用ボタン５１ｃに対応する装花画像に入れ替えて表示する。
図８（ｂ）は、前記装花画像入替処理によって、前記装花合成画像表示エリア６１に、装花選択用ボタン５１ｃで選択された装花画像５８ｂが表示されている様子を示している。
【００８９】
また、ステップＳ７６において、ＣＰＵ２８は、前記ドレス画像入替処理の終了命令があった場合は、処理を終了し、前記ドレス画像の入替処理の終了命令がなかった場合はステップＳ７２に処理を移す。
【００９０】
また、ＣＰＵ２８は、ステップＳ８２において、前記ドレスシミュレーション選択用ボタン５３ｂが選択されたか否かを判断し、選択された場合は、ステップＳ７０に処理を移し、選択されなかった場合は、処理をステップＳ８４に移す。
【００９１】
次に、ステップＳ８４において、ＣＰＵ２８は、装花画像の入替処理の終了命令の有無を判断し、前記装花画像の入替処理の終了命令があった場合は、処理を終了し、前記装花画像の入替処理の終了命令がなかった場合は、処理をステップＳ８０に移す。
【００９２】
なお、本実施形態では、前記レセプション会場の画像７２のルームカラーの入替も可能としている。
例えば、レセプション会場の床のカラー、テーブルクロスのカラー、カーペットのカラー、カーテンのカラー等を同一のカラーで統一した複数種類のルームカラーデータを一つのグループとして画像メモリ３０に保存する。そして、図７及び図８に示すように、装花シミュレーション画面及びドレスシミュレーション画面に、ルームカラー選択ボタン８４（本実施形態では６つ）を設け、それぞれのルームカラー選択ボタン８４を選択することで、前記画像入替手段を介して、ルームカラーを入替可能としているのである。
【００９３】
〔楽曲選択処理〕
図５及び図９を用いて楽曲選択処理について説明する。図５は、楽曲選択処理の例を説明するフローチャートである。図９は、楽曲選択処理において表示される画面の例の説明図である。
【００９４】
図５に示すように、ＣＰＵ２８は、ステップＳ９０において、イベント画像表示処理を行い、処理をステップＳ９２に移す。
すなわち、ＣＰＵ２８は、前記イベント選択処理（ステップＳ５２）の際に前記画像メモリ３０に保存したイベントの画像を前記画像メモリ３０から読み出して、イベント画像選択用画面（図示せず）としてディスプレイ装置２６に表示する。前記イベント画像選択用画面には、前記読み出した、例えば複数のイベントの動画像からなるイベント画像選択ボタン等が表示される。そして、前記イベント画像選択ボタンをクリックすることで、イベント画像の選択命令がＣＰＵ２８に入力される。
【００９５】
次に、ステップＳ９２において、ＣＰＵ２８は、前記イベント画像の選択命令の有無を判断し、前記イベント画像の選択命令があった場合は処理をステップＳ９４に移し、なかった場合は、処理をステップＳ９０に移す。
【００９６】
次に、ステップＳ９４において、ＣＰＵ２８は、後述する題名選択画面を表示し、処理をステップＳ９６に移す。
【００９７】
前記題名選択画面は、選択されたイベントの画像及び楽曲の題名リスト等を表示するためのものである。ここで、前記題名選択画面について図９を用いて説明する。図９は、題名選択画面の例の説明図である。
図９に示すように、題名選択画面には、イベントの画像表示エリア６２、題名リスト表示エリア６３、終了ボタン５５ｃ、確定ボタン５４ｃ、楽曲音出力ボタン６４、楽曲音出力停止ボタン７０、楽曲部分抽出開始ボタン６６、楽曲部分抽出終了ボタン６７等を表示する。さらに、題名リスト表示エリア６３内に題名選択ボタン６５ａ，６５ｂ，６５ｃと、を表示している。
図９に示す例では、前記イベントの画像表示エリア６２には、上述したイベント画像選択処理（ステップＳ９０）で選択された、例えばケーキ入刀シーンをモニタした動画像が表示されている。
また、前記題名リスト表示エリア６３内には、３つの題名が表示されている。そして、各題名はそれぞれ文字列で形成され、前記文字列が表示された領域が題名選択ボタン６５ａ，６５ｂ，６５ｃとなっている。そして、これらの題名選択ボタン６５ａ，６５ｂ，６５ｃをクリックすることで、題名選択命令がＣＰＵ２８に入力される。
また、前記終了ボタン５５ｃをクリックすると、処理をイベント画像選択処理（ステップＳ９０）に移すための表示切換え命令がＣＰＵ２８に入力される。また、前記確定ボタン５４ｃをクリックすると、所定の確定命令がＣＰＵ２８に入力される。また、楽曲音出力ボタン６４をクリックすると、楽曲再生命令がＣＰＵ２８に入力され、楽曲音出力停止ボタン７０をクリックすると、楽曲再生停止命令がＣＰＵ２８に入力される。なお、楽曲部分抽出開始ボタン６６及び楽曲部分抽出終了ボタン６７については後述する。
【００９８】
次に、ステップＳ９６において、ＣＰＵ２８は、題名選択命令の有無を判断し、前記題名選択命令があった場合は処理をステップＳ１００に移し、なかった場合は、処理をステップＳ９８に移す。図９に示す例では、「０３  Ａｌｌ  ｂｙ  Ｍｙｓｅｌｆ」の文字列を表示する領域からなる題名選択ボタン６５ｃが選択された状態を示している。
【００９９】
ステップＳ１００において、ＣＰＵ２８は、楽曲を再生する。すなわち、ＣＰＵ２８は、上述のようにして選択された題名の楽曲データを式典データベース２１から読み出してＲＡＭ４０の所定の領域に保存する。次に、ＣＰＵ２８は、前記楽曲再生命令を受けると、前記保存した楽曲データをＲＡＭ４０から読み出し、再生部４４に供給する。当該楽曲データを受けた再生部４４は、前記供給された楽曲データに基づいて楽曲を再生しスピーカ３６から出力する。そして、処理をステップＳ１０２に移す。
【０１００】
次に、ステップ１０２において、ＣＰＵ２８は、楽曲部分抽出命令の有無を判断し、楽曲部分抽出命令の終了命令があった場合は、処理をステップＳ１０６に移し、無かった場合は、処理をステップＳ１０４に移す。ここで、前記楽曲部分抽出命令は、前記題名選択画面（図９参照）に表示された楽曲部分抽出開始ボタン６６をクリックすることでＣＰＵ２８に入力される。
【０１０１】
次に、ステップ１０６においてＣＰＵ２８は、後述する楽曲部分抽出処理を行い、処理をステップＳ１００に移す。
【０１０２】
ここで楽曲部分抽出処理について説明する。楽曲部分抽出処理は、前述した楽曲部分抽出手段として機能するためのものである。すなわち、ＣＰＵ２８は、ステップＳ１０６において、上述したようにＲＡＭ４０から読み出して再生部４４に供給している楽曲データを、再生部４４への供給を継続しつつ顧客データベース２２に保存する処理を開始する。そして、楽曲部分抽出停止命令を受けた前記ＣＰＵ２８は、前記保存する処理を停止する。ここで、前記楽曲部分抽出停止命令は、前記題名選択画面（図９参照）に表示された楽曲部分抽出停止ボタン６７をクリックすることでＣＰＵ２８に入力される。
【０１０３】
したがって、挙式予定者が、前記選択した楽曲を視聴しつつ所望の楽曲部分にさしかかった時に、マウス３２で前記楽曲部分抽出開始ボタン６６をクリックし、所定の時間が経過した時に、楽曲部分抽出終了ボタン６７をクリックすることで、所望の楽曲部分を、顧客データベース２２に保存、すなわち抽出できる。
このように、ＣＰＵ２８は、前記選択した楽曲のうち任意の楽曲部分が抽出可能、な構成となっている。したがって、実際の式典で前記イベントを実施する場合は、前記顧客データベース２２から前記楽曲部分を読み出して確実にＢＧＭとして流すことができ、挙式予定者の満足度が高まる。
【０１０４】
また、ステップＳ１０４において、ＣＰＵ２８は、楽曲再生停止命令の有無を判断し、楽曲再生停止命令が無かった場合は処理をステップＳ９８に移し、前記楽曲再生停止命令があった場合は、前記楽曲データの再生部４４への供給を停止するとともに処理をステップＳ９６に移す。
【０１０５】
また、ステップＳ９８において、ＣＰＵ２８は、前記表示切換え命令の有無を判断し、前記表示切換え命令があった場合は処理をステップＳ９０に移し、なかった場合は、処理を終了する。
【０１０６】
以上のように、ＣＰＵ２８は、ディスプレイ装置２６にイベントの画像及び楽曲の題名リストを表示させるとともに、選択された題名の楽曲を再生可能とした楽曲再生手段として機能する。このようにして、挙式予定者は、表示画面に表示されたイベントの動画を通してイベントの様子を具体的にイメージするとともに、題名リストとして表示された楽曲を再生させて視聴しつつ、所望の楽曲を選択できるのである。
【０１０７】
〔所要時間表示制御処理〕
図２および図６を用いて、所要時間表示制御処理について説明する。
図６は、所要時間表示制御処理の例を説明するフローチャートである。
【０１０８】
先ず、ＣＰＵ２８は、ステップＳ１２０において、上述したスケジュール調整画面（図２参照）をディスプレイ装置２６に表示し、処理をステップＳ１２２に進める。
【０１０９】
次に、ＣＰＵ２８は、ステップＳ１２２において、所要時間書き換え処理を行う。すなわち、上述したように、キーボード３４からの所定の所要時間データの入力を受けて、スケジュール調整画面の表示を、前記入力された所要時間に書換えるとともに入力された所要時間に基づいて算出した所要時間合計に書換える。
図２の例では、前述した所要時間表示領域８２に表示された所要時間「５」が書き換えられるとともに、前述した所要時間合計表示領域７３に表示する「２：２３」の文字列が書き換えられる。そして、処理をステップＳ１２４に進める。
【０１１０】
次に、ステップ１２４において、ＣＰＵ２８は、前記所要時間書き換え処理の終了命令の有無を判断し、前記所要時間書き換え処理の終了命令がなかった場合は処理をステップＳ１２２に移し、前記所要時間書き換え処理の終了命令があった場合は処理を終了する。
【０１１１】
さらに、本実施形態の式典プランニング支援装置１０は、楽曲経過時間表示手段を備える。前記楽曲経過時間表示手段は、上述のように抽出した楽曲部分の時間長を表示するためのものである。そのため、本実施形態では、図１に示すように、タイマ４６をＣＰＵ２８に接続させて配置するとともに、図９に示すように、題名選択画面にタイマ表示領域６８を設けている。
ＣＰＵ２８及びタイマ４６は、前記楽曲経過時間表示手段として機能し、楽曲部分抽出開始ボタン６６がクリックされると、ＣＰＵ２８はタイマ４６を介してタイマ表示領域６８の時間表示を開始し、楽曲部分抽出終了ボタン６７をクリックすることで、前記時間表示が停止される。したがって、楽曲部分を抽出する際に、前記タイマ６８の時間表示を視認しながら選択することで、前記楽曲部分の時間がイベントの所要時間内に入るように選択することができ、利便性が高まる。
なお、図９の例では、タイマ表示領域６８に「３Ｍ３０Ｓ」の文字列が表示され、楽曲部分保存開始ボタン６６をクリックされてから３分３０秒経過した様子を示している。
【０１１２】
以上説明したように、本実施形態の式典プランニング支援装置１０によれば、式典が行われる会場、式典で用いられるアイテム及び式典で実施される各種イベントの様子を具体的にイメージしながら所望のアイテムやイベントを選択可能であるとともに、各イベントのスケジュールの調整及び式典全体のスケジュールの調整が可能となる。
【０１１３】
以上、本発明の実施形態のうちのいくつかを図面に基づいて詳細に説明したが、これらはあくまでも例示であり、当業者の知識に基づいて種々の変形、改良を施した他の形態で本発明を実施することが可能である。また、式典としては結婚式に限定されるものではなく、例えば葬儀等でも実施可能である。
【産業上の利用可能性】
【０１１４】
本発明の式典プランニング支援装置は、結婚式場、葬儀場、ホテルのみならず、イベント会場、会議場等に至るまで、広範囲にわたって利用することができる。
【図面の簡単な説明】
【０１１５】
【図１】本発明の一実施形態の式典プランニング支援装置のハードウェア構成を説明する概略ブロック図である。
【図２】本発明の一実施形態の式典プランニング支援装置において表示される画面の説明図である。
【図３】本発明の一実施形態の式典プランニング支援装置において実行される処理例を説明するフローチャートである。
【図４】本発明の一実施形態の式典プランニング支援装置において実行される処理例を説明するフローチャートである。
【図５】本発明の一実施形態の式典プランニング支援装置において実行される処理例を説明するフローチャートである。
【図６】本発明の一実施形態の式典プランニング支援装置において実行される処理例を説明するフローチャートである。
【図７】本発明の一実施形態の式典プランニング支援装置において表示される画面の説明図である。
【図８】本発明の一実施形態の式典プランニング支援装置において表示される画面の説明図である。
【図９】本発明の一実施形態の式典プランニング支援装置において表示される画面の説明図である。
【符号の説明】
【０１１６】
１０  式典プランニング支援装置
２１  式典データベース
２２  顧客データベース
２６  ディスプレイ装置（表示部）  
２８  ＣＰＵ  
３０  画像メモリ  
３２  マウス（入力手段）
３４  キーボード（入力手段）  
３６  スピーカ
４０  ＲＡＭ  
４０  画像メモリ  
４２  通信部（外部データ収集手段）
４４  再生部
【図１】
2008226087.tif 000003
【図２】
2008226087.tif 000004
【図３】
2008226087.tif 000005
【図４】
2008226087.tif 000006
【図５】
2008226087.tif 000007
【図６】
2008226087.tif 000008
【図７】
2008226087.tif 000009
【図８】
2008226087.tif 000010
【図９】
2008226087.tif 000011